【手続補正書】
【提出日】平成29年4月26日(2017.4.26)
【手続補正１】
【補正対象書類名】明細書
【補正対象項目名】００７１
【補正方法】変更
【補正の内容】
【００７１】
本発明の好ましい実施形態に関して記載したが、しかしながら、当業者であれば、本発明の精神と範囲から逸脱することなく、形態及び詳細の変形を行うことができることを理解すべきである。例えば、上記の実施形態では特定の特徴を示したが、しかしながら、本発明の範囲は、異なる特徴の組合せを有する実施形態、及び上記の特徴の全てを含むわけではない実施形態をも包含する。全ての対応する変更及び変形は、本発明の保護の請求範囲に包含されるべきである。以下、本発明の実施形態の例を列記する。
［１］
０．５〜５質量％のポリオレフィンワックスと、１０〜３０質量％のフルオロケイ酸又はフルオロケイ酸塩と、１〜６質量％の酸コンディショナーと、０．５〜５質量％の速乾剤と、バランスとしての水とを含む、石の表面処理のための結晶化剤であって、前記ポリオレフィンワックスはエマルジョンの形態で添加されており、ポリオレフィンワックスエマルジョンの固形分は２０％〜６０％である、結晶化剤。
［２］
前記ポリオレフィンワックスエマルジョンが、カチオン性ポリオレフィンワックスエマルジョンである、項目１に記載の結晶化剤。
［３］
前記ポリオレフィンワックスエマルジョンが、５０〜２００ｎｍの粒子径、及び１００〜１０００ｃｐｓ（０．１〜１Ｐａ・ｓ）の粘度を有する、項目１に記載の結晶化剤。
［４］
前記ポリオレフィンワックスエマルジョンは、８〜１８のＨＬＢ値を有する乳化剤を有するポリオレフィンワックスを乳化することによって形成される、項目１〜３のいずれか一項に記載の結晶化剤。
［５］
前記乳化剤がカチオン性界面活性剤である、項目４に記載の結晶化剤。
［６］
前記乳化剤がアルキルアンモニウム塩であり、アルキルは、１２〜２０個の炭素原子を有する直鎖又は非直鎖アルキルである、項目５に記載の結晶化剤。
［７］
前記ポリオレフィンワックスは、エチレン、テトラフルオロエチレン、プロピレン、１−ブテン、２−ブテン、イソブテン、１−ペンテン、２−ペンテン、１−ヘキセン、１−オクテン、シクロペンテン、シクロヘキセン、ブタジエン、及びイソプレンから選択される一つ又は複数のモノマーから形成される、項目１〜３のいずれか一項に記載の結晶化剤。
［８］
前記ポリオレフィンワックスが、ヒドロキシル基、アミノ基、メルカプト基、エーテル基、ハロゲン基、カルボキシル基、カルボン酸無水物基、スルホン酸基、リン酸基、ホスホン酸基、カルボキサミド基、カルボキシレート基、スルホネート基、ホスフェート基、ホスホネート基、及びニトリル基から選択される任意の一つ又は複数の官能基によって置換されている、項目７に記載の結晶化剤。
［９］
前記ポリオレフィンワックスが、ポリエチレンワックス、ポリテトラフルオロエチレンワックス、ポリプロピレンワックス、又はこれらの混合物である、項目８に記載の結晶化剤。
［１０］
前記ポリオレフィンワックスの数平均分子量Ｍｎが１０００〜２００００である、項目１〜３のいずれか一項に記載の結晶化剤。
［１１］
前記ポリオレフィンワックスの数平均分子量Ｍｎが２，０００〜８，０００である、項目１０に記載の結晶化剤。
［１２］
前記ポリオレフィンワックスの滴下融点が６０℃〜１８０℃である、項目１〜３のいずれか一項に記載の結晶化剤。
［１３］
前記ポリオレフィンワックスの滴点が８０℃〜１６０℃である、項目１２に記載の結晶化剤。
［１４］
前記結晶化剤が、１．０％〜３．０％のポリオレフィンワックスを含む、項目１〜３のいずれか一項に記載の結晶化剤。
［１５］
前記フルオロケイ酸塩が、フルオロケイ酸ナトリウム、フルオロケイ酸カリウム、フルオロケイ酸マグネシウム、フルオロケイ酸亜鉛、及びフルオロケイ酸クロムから選択される一つ又は複数である、項目１〜３のいずれか一項に記載の結晶化剤。
［１６］
前記酸コンディショナーの一次解離定数ｐＫａ１が１．０〜６．０である、項目１〜３のいずれか一項に記載の結晶化剤。
［１７］
前記酸コンディショナーの一次解離定数ｐＫａ１が２．５〜４．５である、項目１６に記載の結晶化剤。
［１８］
前記酸コンディショナーが、フマル酸、クエン酸、２，３−ジヒドロキシブタン二酸、又はこれらの組み合わせである、項目１〜３のいずれか一項に記載の結晶化剤。
［１９］
前記速乾剤の蒸発速度が０．０１より大きい、項目１〜３のいずれか一項に記載の結晶化剤。
［２０］
前記速乾剤が、エチレングリコールメチルエーテル、エチレングリコールブチルエーテル、ジエチレングリコールブチルエーテル、プロピレングリコールメチルエーテル、ジプロピレングリコールメチルエーテル、プロピレングリコールプロピルエーテル、ジプロピレングリコールプロピルエーテル、プロピレングリコールブチルエーテル、プロピレングリコールメチルエーテルアセテート、ジプロピレングリコールメチルエーテルアセテート、ジプロピレングリコールジメチルエーテル、及びジエチレングリコールメチルエーテルから選択される一つ又は複数である、項目１９に記載の結晶化剤。
［２１］
前記結晶化剤は、補助剤としての光沢促進剤及び粉塵吸収剤を、含有量１％未満で更に含む、項目１に記載の結晶化剤。
［２２］
前記石が、大理石、テラゾ、又は特別な花崗岩である、項目１に記載の結晶化剤。
［２３］
（ｉ）フルオロケイ酸又はフルオロケイ酸塩を水に添加し、前記フルオロケイ酸又は前記フルオロケイ酸塩が水中に完全に溶解するまで撹拌すること；
（ｉｉ）工程（ｉ）により得られた溶液に酸コンディショナーを添加し、均一に撹拌すること；
（ｉｉｉ）工程（ｉｉ）により得られた溶液にポリオレフィンワックスエマルジョンを添加し、均一に撹拌すること；並びに
（ｉｖ）工程（ｉｉｉ）により得られた溶液に速乾剤を添加し、均一に撹拌すること
を含む、項目１〜２２のいずれか一項に記載の結晶化剤を製造する方法であって、
前記ポリオレフィンワックス、前記フルオロケイ酸又は前記フルオロケイ酸塩、前記酸コンディショナー、及び前記アルコールエーテル速乾剤の質量パーセント含有量が、それぞれ、０．５〜５％、１０〜３０％、１〜６％、及び０．５〜５％、バランスとして水であり；前記ポリオレフィンワックスはエマルジョンの形態で添加されており、ポリオレフィンワックスエマルジョンの固形分は２０％〜６０％である、方法。
［２４］
項目１〜２２のいずれか一項に記載の結晶化剤を含む、石。
［２５］
前記結晶化剤の被覆が前記石上に形成されるように、項目１に記載の結晶化剤を、バフがけ及び研磨のために石表面上に吹き付ける、項目２４に記載の石を製造する方法。
【手続補正２】
【補正対象書類名】特許請求の範囲
【補正対象項目名】全文
【補正方法】変更
【補正の内容】
【特許請求の範囲】
【請求項１】
０．５〜５質量％のポリオレフィンワックスと、１０〜３０質量％のフルオロケイ酸又はフルオロケイ酸塩と、１〜６質量％の酸コンディショナーと、０．５〜５質量％の速乾剤と、バランスとしての水とを含む、石の表面処理のための結晶化剤であって、前記ポリオレフィンワックスはエマルジョンの形態で添加されており、ポリオレフィンワックスエマルジョンの固形分は２０％〜６０％である、結晶化剤。
【請求項２】
前記ポリオレフィンワックスエマルジョンが、カチオン性ポリオレフィンワックスエマルジョンである、請求項１に記載の結晶化剤。
【請求項３】
前記ポリオレフィンワックスエマルジョンが、５０〜２００ｎｍの粒子径、及び１００〜１０００ｃｐｓ（０．１〜１Ｐａ・ｓ）の粘度を有する、請求項１に記載の結晶化剤。
【請求項４】
前記ポリオレフィンワックスエマルジョンは、８〜１８のＨＬＢ値を有する乳化剤を有するポリオレフィンワックスを乳化することによって形成される、請求項１〜３のいずれか一項に記載の結晶化剤。
【請求項５】
前記乳化剤がカチオン性界面活性剤である、請求項４に記載の結晶化剤。
【請求項６】
前記乳化剤がアルキルアンモニウム塩であり、アルキルは、１２〜２０個の炭素原子を有する直鎖又は非直鎖アルキルである、請求項５に記載の結晶化剤。
【請求項７】
前記ポリオレフィンワックスは、エチレン、テトラフルオロエチレン、プロピレン、１−ブテン、２−ブテン、イソブテン、１−ペンテン、２−ペンテン、１−ヘキセン、１−オクテン、シクロペンテン、シクロヘキセン、ブタジエン、及びイソプレンから選択される一つ又は複数のモノマーから形成される、請求項１〜３のいずれか一項に記載の結晶化剤。
【請求項８】
前記ポリオレフィンワックスが、ポリエチレンワックス、ポリテトラフルオロエチレンワックス、ポリプロピレンワックス、又はこれらの混合物である、請求項７に記載の結晶化剤。
【請求項９】
前記ポリオレフィンワックスの数平均分子量Ｍｎが２，０００〜８，０００である、請求項１〜３のいずれか一項に記載の結晶化剤。
【請求項１０】
前記ポリオレフィンワックスの滴下融点が６０℃〜１８０℃である、請求項１〜３のいずれか一項に記載の結晶化剤。
【請求項１１】
前記ポリオレフィンワックスの滴点が１２０℃〜１６０℃である、請求項１０に記載の結晶化剤。
【請求項１２】
前記結晶化剤が、１．０％〜３．０％のポリオレフィンワックスを含む、請求項１〜３のいずれか一項に記載の結晶化剤。
【請求項１３】
前記フルオロケイ酸塩が、フルオロケイ酸ナトリウム、フルオロケイ酸カリウム、フルオロケイ酸マグネシウム、フルオロケイ酸亜鉛、及びフルオロケイ酸クロムから選択される一つ又は複数である、請求項１〜３のいずれか一項に記載の結晶化剤。
【請求項１４】
前記酸コンディショナーの一次解離定数ｐＫａ１が２．５〜４．５である、請求項１〜３のいずれか一項に記載の結晶化剤。
【請求項１５】
前記酸コンディショナーが、フマル酸、クエン酸、２，３−ジヒドロキシブタン二酸、又はこれらの組み合わせである、請求項１〜３のいずれか一項に記載の結晶化剤。
【請求項１６】
前記速乾剤の蒸発速度が０．０１より大きい、請求項１〜３のいずれか一項に記載の結晶化剤。
【請求項１７】
前記速乾剤が、エチレングリコールメチルエーテル、エチレングリコールブチルエーテル、ジエチレングリコールブチルエーテル、プロピレングリコールメチルエーテル、ジプロピレングリコールメチルエーテル、プロピレングリコールプロピルエーテル、ジプロピレングリコールプロピルエーテル、プロピレングリコールブチルエーテル、プロピレングリコールメチルエーテルアセテート、ジプロピレングリコールメチルエーテルアセテート、ジプロピレングリコールジメチルエーテル、及びジエチレングリコールメチルエーテルから選択される一つ又は複数である、請求項１６に記載の結晶化剤。
【請求項１８】
前記結晶化剤は、補助剤としての光沢促進剤及び粉塵吸収剤を、含有量１％未満で更に含む、請求項１に記載の結晶化剤。
【請求項１９】
前記石が、大理石、テラゾ、又は特別な花崗岩である、請求項１に記載の結晶化剤。
【請求項２０】
前記石の一段階処理に使用することができる、請求項１に記載の結晶化剤。